(57)【要約】【課題】上端の開口辺部分を折り返して内部を簡易封止できる手提げ袋を改良する。【解決手段】ともに同じ大きさのほぼ矩形で対向し、両者の下辺部分が共通の底面に接続し、両者の両側辺部分がそれぞれ共通の側面襠部に接続し、両者の上辺部分が袋の開口部を形成する２つの主面部を有したシート製の袋組織と、各主面部の外側に、折曲ガイド線より一定寸法Ｂ（＜Ａ）だけ下方位置の横一直線上に、両端が一定間隔Ｃで左右対称位置に止着され、両端間がループ状に上方に延びた２つの手提げ紐を備え、両主面部と両側面襠部には、上辺から一定寸法Ａだけ下方位置に、両主面部の上辺部分を接合させた状態で一体的に第１主面部側に折り返すように誘導する横一直線の折曲ガイド線が形成され、それより一定寸法Ｄ（≦Ｂ）だけ上方位置に、各主面部にほぼＣの長さの細い窓穴が形成され、第１主面部の手提げ紐は、折り返された主面部の２つの窓穴を貫通して、他方の手提げ紐とともに利用者に把持される手提げ袋とする。【選択図】図５
2008067791.tif 000002
【特許請求の範囲】
【請求項１】
シート製の袋組織と、２つの手提げ紐を備えた手提げ袋であって、
袋組織は、第１、第２主面部を有し、
第１、第２主面部は、ともにほぼ矩形であって、同じ大きさであり、対向しており、
第１、第２主面部は、両者の下辺部分が共通の底面に接続し、両者の両側辺部分がそれぞれ共通の側面襠部に接続し、両者の上辺部分が袋の開口部を形成し、
第１、第２主面部および両側面襠部には、上辺から一定寸法Ａだけ下方位置において、横一直線の折曲ガイド線が形成されており、
折曲ガイド線は、第１、第２主面部の上辺部分を接合させた状態で、一体的に、第１主面部側に折り返すように誘導し、
２つの手提げ紐は、第１、第２主面部の外側にそれぞれ配置され、第１、第２主面部における折曲ガイド線より一定寸法Ｂ（Ｂ＜Ａ）だけ下方位置の横一直線上に、両端が一定間隔Ｃをおいて左右対称位置に止着され、両端間がループ状に上方に延びており、
第１、第２主面部には、ともに、折曲ガイド線より一定寸法Ｄ（Ｄ≦Ｂ）だけ上方位置の横一直線状に、ほぼＣの長さの細い窓穴が、幅方向の中心線に対して左右対称に形成され、
第１主面部の手提げ紐は、折曲ガイド線により折り返された第１、第２主面部の２つの窓穴を貫通して上方に延びて、第２主面部側の手提げ紐とともに利用者に把持される
手提げ袋。
【請求項２】
２つの手提げ紐は、両端間がループ状に、それぞれ第１、第２主面部の上辺部分より上方に延びていることを特徴とする
請求項１に記載の手提げ袋。
【発明の詳細な説明】
【技術分野】
【０００１】
この発明は、商店での買い物の際に多用されている紙製などの手提げ袋に関し、とくに、上端の開口辺部分を折り返して内部を簡易封止できる手提げ袋の改良に関する。
【背景技術】
【０００２】
上端の開口辺部分を折り返して内部を簡易封止できる手提げ袋としては、実開昭６２−１９３４２０号公報に開示されたものが典型的である。これは、図１〜図３に示すように、以下のように構成されている。  
（１）紙などのシート製の袋組織１と、２つの手提げ紐２を備えた手提げ袋であること
（２）袋組織１は、第１主面部３ａと第２主面部３ｂを有すること
（３）第１主面部３ａと第２主面部３ｂは、ともに縦長のほぼ長方形であって、同じ大きさであり、対向していること
（４）第１主面部３ａと第２主面部３ｂは、両者の下辺部分が共通の底面４に接続し、両者の両側辺部分がそれぞれ共通の側面襠部５に接続し、両者の上辺部分が袋の開口部を形成すること
（５）第１主面部３ａ・第２主面部３ｂ・両側面襠部５には、上辺より下方の位置において、横一直線の折曲ガイド線６が形成されていること
（６）折曲ガイド線６は、第１主面部３ａ、第２主面部３ｂの上辺部分を接合させた状態で、一体的に、第１主面部３ａ側に折り返すように誘導すること
（８）第２主面部３ｂには、折曲ガイド線６上に横一直線状に、細い窓穴７が幅方向の中心線に対して左右対称に形成されること
（７）２つの手提げ紐２は、第１主面部３ａ、第２主面部３ｂの内側にそれぞれ配置され、第１、第２主面部における折曲ガイド線６より下方位置の横一直線上に、両端が窓穴の長さとほぼ同じ間隔をおいて左右対称位置に止着され、両端間がループ状に上方に延びていること
（９）２つの手提げ紐２はともに、折曲ガイド線６により折り返された第２主面部３ｂの窓穴７を貫通して上方に延びて、利用者に把持されること
【０００３】
この構成において、利用者は水平な台の上や床面に袋組織１を底面４が接するように置いて、内部に物を収納し、折曲ガイド線６にて第１主面部３ａ、第２主面部３ｂの上辺部分を接合させた状態で、一体的に、第１主面部３ａ側に折り返すことにより、開口部を封止する。その際には、手提げ紐２を２つとも第２主面部３ｂの窓穴７から袋組織１の外側・上方に取り出して、これを把持して持ち運ぶ。
【特許文献１】実開昭６２−１９３４２０号公報
【発明の開示】
【発明が解決しようとする課題】
【０００４】
図１〜図３に示した従来の簡易封止可能な手提げ袋では、つぎのような解決すべき課題があった。
【０００５】
（Ａ）窓穴７が折曲ガイド線６上に形成されているので、図２に示しているとおり、折曲ガイド線６にて主面部３が折り返されて開口部が封止された状態であっても、袋組織１内部の空間の最上部に位置する窓穴７が外部に開口している。そのため、開口部が完全に封止されることがない。
【０００６】
したがって、たとえば、においのあるものを収納するとそのにおいが窓穴７から外に漏れてしまう。温かくにおいが漂いやすい食べ物や刺激臭の強いものを、この手提げ袋に収納して電車やエレベータなどの公共の狭い空間に持ち込むことは躊躇せざるを得ない。すなわち、そのようなにおいのある商品の買い物袋としての使用は不適切であった。利用者が持ち帰った買い物袋を再利用する際にも、同様ににおいのある物を収納できず、手提げ袋の用途は制限されていた。
【０００７】
また、手提げ袋を傾けたり横倒しにしたり大きく振ったりした場合に、窓穴７より小さな収納物は、窓穴７から外に飛び出したりするおそれもあった。したがってやはり、そのような小さな商品の買い物袋としても不適切であり、また、利用者が再利用する際にも小さな物を収納できず、用途が制限されていた。
【０００８】
さらに、降雨時に雨粒が窓穴７から内部に入るおそれもあった。たとえば、買い物帰りなどににわか雨に遭った場合などに、せっかく袋組織１のシート自体は水を弾いても、窓穴７から侵入した雨粒で収納物が濡れてしまうこともあった。
【０００９】
（Ｂ）手提げ紐２は主面部３の内側に配置されているので、手提げ紐２を把持したままでは、開口部を封止するよう主面部３を折り曲げたり、逆に折り返しを伸ばして開口させたりする操作は困難であった。したがって、たとえば買い物の途中に、購入したものが間違いなく収納されているかを確認したい場合や、新たに買い足したものを持っている手提げ袋に収納したい場合にも、いちいち台の上などに手提げ袋を置いて手提げ紐２から手を離さなければならず面倒だった。
【００１０】
（Ｃ）２つの手提げ紐２はともに１つの窓穴７から外側に取り出されて利用者に把持されるので、窓穴７の周囲に荷重が集中する。そのため、とくに重い物を収納した場合に持ち運びづらいうえに、袋を破損しやすかった。
【００１１】
この発明は、上記した課題を解決するように改良し、機能的により優れた簡易封止可能な手提げ袋を提供することにある。
【課題を解決するための手段】
【００１２】
この発明を適用した手提げ袋の一実施例を図４〜図５に示している。この実施例を参照しつつ、この発明に係る手提げ袋の必須の構成を以下に列挙する。  
（１）シート製の袋組織１と、２つの手提げ紐２を備えた手提げ袋であること
（２）袋組織１は、第１主面部３ａと第２主面部３ｂを有すること
（３）第１主面部３ａと第２主面部３ｂは、ともにほぼ矩形であって、同じ大きさであり、対向していること
（４）第１主面部３ａと第２主面部３ｂは、両者の下辺部分が共通の底面４に接続し、両者の両側辺部分がそれぞれ共通の側面襠部５に接続し、両者の上辺部分が袋の開口部を形成すること
（５）第１主面部３ａ・第２主面部３ｂ・両側面襠部５には、上辺から一定寸法Ａだけ下方の位置において、横一直線の折曲ガイド線６が形成されていること
（６）折曲ガイド線６は、第１主面部３ａ、第２主面部３ｂの上辺部分を接合させた状態で、一体的に、第１主面部３ａ側に折り返すように誘導すること
（７）２つの手提げ紐２は、第１主面部３ａ、第２主面部３ｂの外側にそれぞれ配置され、第１主面部３ａ、第２主面部３ｂにおける折曲ガイド線６より一定寸法Ｂ（Ｂ＜Ａ）だけ下方位置の横一直線上に、両端が一定間隔Ｃをおいて左右対称位置に止着され、両端間がループ状に上方に延びていること
（８）第１主面部３ａ、第２主面部３ｂには、ともに、折曲ガイド線６より一定寸法Ｄ（Ｄ≦Ｂ）だけ上方位置の横一直線状に、ほぼＣの長さの細い窓穴７が、幅方向の中心線に対して左右対称に形成されること
（９）第１主面部の手提げ紐２ａは、折曲ガイド線６により折り返された第１主面部３ａ、第２主面部３ｂの２つの窓穴７を貫通して上方に延びて、第２主面部３ｂ側の手提げ紐２ｂとともに利用者に把持されること
【００１３】
この構成の手提げ袋に物を収納する際に、利用者は、袋組織１の内部に底面４の内側に置くように物を収納し、折曲ガイド線６にて２つの主面部３の上辺部分を接合させた状態で、一体的に第１主面部３ａ側に折り返すことにより、開口部を封止する。その際に、第１主面部３ａの手提げ紐２ａを両主面部３の２つの窓穴７に通して上方に取り出して、これを第２主面部３ｂの手提げ紐２ｂとともに把持して持ち運ぶ。
【００１４】
この発明において、２つの手提げ紐は、両端間がループ状に、それぞれ主面部３の上辺部分より上方に延びていることが望ましい。
【発明の効果】
【００１５】
本発明の手提げ袋によれば、窓穴７は折曲ガイド線６より一定寸法だけ上方位置に形成されており、折曲ガイド線６により２つの主面部３が一体的に一方の主面部３側に折り返されて手提げ袋の開口部が封止された状態では、窓穴７は折り返し部分に位置することになり、袋組織１内部の空間に影響を及ぼさずに開口部を完全に封止できる。そのため、においのあるものを収納してもそのにおいが手提げ袋の外に漏れたりする心配がなく、温かくにおいが漂いやすい食べ物やにおいの強いものなどを収納するためにも安心して使用でき、手提げ袋の用途が広がる。
【００１６】
また、降雨時に雨粒が袋内部に入ったりすることもなく、にわか雨に遭った際にも、袋組織１のシートが水をはじく限り、収納物が濡れる心配はない。また、袋を傾けたり横倒しにしたり大きく振ったりしても、たとえ窓穴７より小さな収納物でも、手提げ袋の外に飛び出したりする心配がないので、そのような小さなものの収納にも使用でき、用途が制限されない。
【００１７】
また、手提げ紐２が主面部３の外側に配置されているので、第２主面部３ｂの手提げ紐２ｂを把持したまま、開口部を封止するよう主面部３の上辺部分を折り返したり、逆に折り返しを伸ばして開封させたりできる。したがって、１本の手提げ紐２ｂで支えられる程度の重量の収納物であれば、出し入れする操作が手提げ紐２ｂを把持したままで容易にできる。買い物途中などに、手提げ袋を把持したまま、買ったばかりの物を取り出して確認したり、買い足したものなどを追加収納したりできるので利便性が向上する。
【００１８】
さらに、ループ状に取り付けられている手提げ紐２の上端が、主面部３の上辺部分より上方に延びていれば、開口部を開封させたままでも容易に把持できる。したがって、開口部を封止する必要がない場合には、わざわざ封止しなくても開口させたまま使用できるので、手提げ袋の利便性がさらに向上する。
【００１９】
その場合にさらに、手提げ紐２ａを第１主面部３ａの窓穴７に、手提げ紐２ｂを第２主面部３ｂの窓穴７に、それぞれ外側から内側に貫通させて把持することもできる。手提げ紐２の可動範囲が窓穴７により制限され、主面部３との一体性が向上するので、持ち運ぶ際の手提げ袋の揺れを最小限に抑えたり、収納物の出し入れの際に開口部をより大きく拡げ易くなる。
【００２０】
また、手提げ紐２を適宜な長さにして、手提げ紐２ａを両主面部３の２つの窓穴７からはずすことなく、開口部を少しだけ開封させることも可能となる。そうすると、２つの手提げ紐２とも把持したままでも、手提げ袋内部をのぞいて収納物を確認したり、小さな物を手提げ袋内部に収納したりすることもできるので便利である。
【００２１】
さらに、２つの手提げ紐２のうちの１つが両主面部３の２つの窓穴７を貫通して利用者に把持されるため、２つの手提げ紐２が分離した状態のまま開口部を封止でき、封止前とは各手提げ紐２にかかる荷重に変化はない。したがって、開口部を封止することにより手提げ袋を携帯しづらくなったり、袋を破損しやすくなったりする心配はない。この点によっても、手提げ紐２を把持したまま開口部を開閉して収納物を出し入れする操作が容易にできるので便利である。
【００２２】
このように開口部の開閉が容易である一方、封止するには主面部３の上辺部分を折り返すだけでなく手提げ紐２ａを窓穴７に通すため、手提げ紐２が利用者に把持されると、折り返し部分は手提げ紐２ａにより押さえられる。そのため、開口部を封止して使用中には封止状態を保持でき、不意に開封してしまうような心配がなく実用性が高い。
【実施例】
【００２３】
上記に説明したとおり図４〜図５に示した一実施例の他にも、本発明は様々な形態で実施可能である。
【００２４】
たとえば、図示された２つの主面部３は縦長のほぼ長方形であるが、ほぼ矩形であれば足りる。したがって、横長の長方形でもよい。
【００２５】
また、側面襠部５の形も、図示されたような矩形に制限されない。たとえば台形として、底面が平たく厚みの薄い弁当箱型の収納物に専用の手提げ袋にも、本発明を適用できる。
【００２６】
手提げ紐２の止着方法は、さまざまに可能である。図４に例示されているように、各主面部３の二箇所の止着位置に、それぞれ手提げ紐２の直径程度の貫通穴を形成し、手提げ紐２の両端をそれぞれ貫通穴の外側から内側に貫通させ、主面部３の内側で大きく結び目を作って貫通穴から抜けないように止着させれば、簡易に低コストで止着できる。主面部３の手提げ紐２止着位置の周辺を覆うように帯状片を貼着させ、帯状片と主面部３に一体的に貫通穴を形成してから、手提げ紐２を止着させるようにしてもよい。止着位置が補強され、手提げ袋の耐久性が向上する。
【００２７】
あるいは、主面部３の内側に、上記の２つの貫通穴および貫通させた手提げ紐２の両端を覆うように、手提げ紐２の両端の間隔Ｃより幅の広い帯状片を貼着させて、手提げ紐２の両端を止着させてもよい。止着と同時に止着位置の補強にもなり、やはり手提げ袋の耐久性が向上する。
【００２８】
前記実施例は紙などのシート製の手提げ袋としているが、ポリエチレンのシート製などでもよい。防水仕様になり、遮温（保温・保冷）性能も高まるので、手提げ袋の使い勝手や耐久性が向上する。また、シートに模様や彩色を施してもよいことは、いうまでもない。
【００２９】
前記実施例の窓穴７は、長さはほぼＣであり、また図５に図示されているとおり、幅はほぼ手提げ紐２の太さ程度である。しかし、窓穴７の大きさにより封止状態はとくに変わらないので、厳密に可能な限り小さくする必然性はなく、多少大きく形成されていてもよい。すなわち窓穴７の長さはＣよりやや大きくてもよいし、幅は手提げ紐２の太さより広くてもよい。製作に際して精度を要求されないため、製作コストを抑える効果も期待できる。
【図面の簡単な説明】
【００３０】
【図１】従来の簡易封止可能な手提げ袋の外観斜視図を例示している。
【図２】同上手提げ袋の開口部を封止した状態での外観斜視図を例示している。
【図３】図２のＡ−Ａ線断面図である。
【図４】本実施例に係る手提げ袋の外観斜視図を例示している。
【図５】同上手提げ袋の開口部を封止した状態での外観斜視図を例示している。
【符号の説明】
【００３１】
１  袋組織
２  手提げ紐
３  主面部
３ａ  第１主面部
３ｂ  第２主面部
４  底面
５  側面襠部
６  折曲ガイド線
７  窓穴
【図１】
2008067791.tif 000003
【図２】
2008067791.tif 000004
【図３】
2008067791.tif 000005
【図４】
2008067791.tif 000006
【図５】
2008067791.tif 000007